【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
原油精製施設で実施される方法であって：
それぞれが少なくとも１つの油精製プロセスを実行するよう構成された油精製プラントを複数備え、前記複数の油精製プラントの間を複数のストリームがそれぞれの温度で流れる、原油精製施設において、
複数のストリームを１つ以上の熱交換器へ流すステップであって、前記複数のストリームはそれぞれ前記複数の油精製プラントの芳香族炭化水素プラントに含まれる複数の芳香族炭化水素プラントサブユニットのうちの１つのサブユニットからのストリームであり、前記芳香族炭化水素プラントからのストリームは、ベンゼン、トルエン及びキシレンの少なくとも１つを含む、ステップと；
前記複数の油精製プラントのうち、前記芳香族炭化水素プラントとは異なる第１の油精製プラントから前記１つ以上の熱交換器へストリームを流すステップであって、前記１つ以上の熱交換器は、前記複数のストリームのうちの１つ以上から前記第１の油精製プラントからの前記ストリームへ熱を伝達する、ステップと；
前記第１の油精製プラントにおける油精製プロセスで前記複数のストリームのうちの１つ以上によって加熱される前記第１の油精製プラントからの前記ストリームを利用するステップと；
を備え、
前記複数の芳香族炭化水素プラントサブユニットは、芳香族炭化水素複合施設キシレン生成物分離ユニットと芳香族炭化水素複合施設ベンゼン抽出プラントとを備え、前記第１の油精製プラントは硫黄回収プラントを備え、
前記複数のストリームのうち１つのストリームは、前記芳香族炭化水素複合施設キシレン生成物分離ユニット内のラフィネート塔頂ストリームを備え、
前記第１の油精製プラントからのストリームは、前記複数の油精製プラントの硫黄回収プラント内のアミン再生塔底ストリームと、前記複数の芳香族炭化水素プラントサブユニットの芳香族炭化水素複合施設ベンゼン抽出プラント内のベンゼン塔底ストリームと、前記芳香族炭化水素複合施設ベンゼン抽出プラント内のラフィネートスプリッタ塔底ストリームとの少なくとも１つを備える、
方法。
【請求項２】
前記第１の油精製プラントからの前記ストリームを加熱することは、前記複数の芳香族炭化水素プラントサブユニットからの前記複数のストリームを用いて前記第１の油精製プラントからの前記ストリームを直接的に加熱するステップを含む、
請求項１に記載の方法。
【請求項３】
前記第１の油精製プラントからの前記ストリームを直接的に加熱する前記ステップは：
第１の熱交換器において、前記ラフィネート塔頂ストリームの第１の分岐を用いて前記複数の油精製プラントの前記硫黄回収プラント内の前記アミン再生塔底ストリームを加熱するステップと；
第２の熱交換器において、前記ラフィネート塔頂ストリームの第２の分岐を用いて前記複数の芳香族炭化水素プラントサブユニットの前記芳香族炭化水素複合施設ベンゼン抽出プラント内の前記ベンゼン塔底ストリームを加熱するステップと；
第３の熱交換器において、前記ラフィネート塔頂ストリームの第３の分岐を用いて前記芳香族炭化水素複合施設ベンゼン抽出プラント内の前記ラフィネートスプリッタ塔底ストリームを加熱するステップと；
前記加熱されたアミン再生塔底ストリームを前記硫黄回収プラントへ流すステップと；
前記加熱されたベンゼン塔底ストリームと前記加熱されたラフィネートスプリッタ塔底ストリームとを前記芳香族炭化水素プラントへ流すステップと；
を備える、
請求項２に記載の方法。
【請求項４】
前記第１の熱交換器、前記第２の熱交換器及び前記第３の熱交換器は、互いに並列に流体的に連結される、
請求項３に記載の方法。
【請求項５】
前記複数の芳香族炭化水素プラントサブユニットは芳香族炭化水素複合施設キシレン生成物分離ユニットと芳香族炭化水素複合施設ベンゼン抽出プラントとを備え、前記第１の油精製プラントは前記原油精製施設のサワーウォータストリッパプラントを備え、
前記ストリームを直接的に加熱するステップは：
第１の熱交換器において、前記ラフィネート塔頂ストリームの第１の分岐を用いて前記サワーウォータストリッパプラント内のサワーウォータストリッパ塔底ストリームを加熱するステップと；
第２の熱交換器において、前記ラフィネート塔頂ストリームの第２の分岐を用いて、前記芳香族炭化水素複合施設ベンゼン抽出プラント内のベンゼン塔底ストリームを加熱するステップと；
第３の熱交換器において、前記ラフィネート塔頂ストリームの第３の分岐を用いて前記芳香族炭化水素複合施設ベンゼン抽出プラント内のラフィネートスプリッタ塔底ストリームを加熱するステップと；
前記加熱されたサワーウォータストリッパ塔底ストリーム、前記加熱されたベンゼン塔底ストリーム及び前記加熱されたラフィネートスプリッタ塔底ストリームを前記芳香族炭化水素プラントへ流すステップと；
を備える、
請求項２に記載の方法。
【請求項６】
前記第１の熱交換器、前記第２の熱交換器及び前記第３の熱交換器は、互いに並列に流体的に連結される、
請求項５に記載の方法。
【請求項７】
原油精製施設で実施される方法であって：
それぞれが少なくとも１つの油精製プロセスを実行するよう構成された油精製プラントを複数備え、前記複数の油精製プラントの間を複数のストリームがそれぞれの温度で流れる、原油精製施設において、
複数のストリームを１つ以上の熱交換器へ流すステップであって、前記複数のストリームはそれぞれ前記複数の油精製プラントの芳香族炭化水素プラントに含まれる複数の芳香族炭化水素プラントサブユニットのうちの１つのサブユニットからのストリームであり、前記芳香族炭化水素プラントからのストリームは、ベンゼン、トルエン及びキシレンの少なくとも１つを含む、ステップと；
前記複数の油精製プラントのうち、前記芳香族炭化水素プラントとは異なる第１の油精製プラントから前記１つ以上の熱交換器へストリームを流すステップであって、前記１つ以上の熱交換器は、前記複数のストリームのうちの１つ以上から前記第１の油精製プラントからの前記ストリームへ熱を伝達する、ステップと；
前記第１の油精製プラントにおける油精製プロセスで前記複数のストリームのうちの１つ以上によって加熱される前記第１の油精製プラントからの前記ストリームを利用するステップと；
を備え、
前記第１の油精製プラント内の前記ストリームはアミン再生プラント分離区画内の弱アミン塩を備える酸性ガス再生塔底ストリームを備え、前記複数の芳香族炭化水素プラントサブユニットの前記複数のストリームは前記芳香族炭化水素複合施設キシレン生成物分離ユニット内のラフィネート塔頂ストリームを備え、
前記方法は、熱交換器において、前記ラフィネート塔頂ストリームを用いて前記酸性ガス再生塔底ストリームを直接的に加熱するステップを更に備える、
方法。
【請求項８】
原油精製施設で実施される方法であって：
それぞれが少なくとも１つの油精製プロセスを実行するよう構成された油精製プラントを複数備え、前記複数の油精製プラントの間を複数のストリームがそれぞれの温度で流れる、原油精製施設において、
複数のストリームを１つ以上の熱交換器へ流すステップであって、前記複数のストリームはそれぞれ前記複数の油精製プラントの芳香族炭化水素プラントに含まれる複数の芳香族炭化水素プラントサブユニットのうちの１つのサブユニットからのストリームであり、前記芳香族炭化水素プラントからのストリームは、ベンゼン、トルエン及びキシレンの少なくとも１つを含む、ステップと；
前記複数の油精製プラントのうち、前記芳香族炭化水素プラントとは異なる第１の油精製プラントから前記１つ以上の熱交換器へストリームを流すステップであって、前記１つ以上の熱交換器は、前記複数のストリームのうちの１つ以上から前記第１の油精製プラントからの前記ストリームへ熱を伝達する、ステップと；
前記第１の油精製プラントにおける油精製プロセスで前記複数のストリームのうちの１つ以上によって加熱される前記第１の油精製プラントからの前記ストリームを利用するステップと；
を備え、
前記第１の油精製プラント内の前記ストリームは前記アミン再生プラント分離区画内のアミン再生プラント分離区画酸性ガス再生塔底ストリームを備え、前記複数の芳香族炭化水素プラントサブユニットの前記複数のストリームは前記芳香族炭化水素複合施設キシレン生成物分離ユニット内のラフィネート塔頂ストリームを備え、
前記方法は：
第１の熱交換器において、前記ラフィネート塔頂ストリームを用いて緩衝流体を加熱するステップと；
第２の熱交換器において、前記加熱緩衝流体ストリームを用いて前記アミン再生プラント分離区画酸性ガス再生塔底ストリームを加熱するステップと；
を更に備える、
方法。
【請求項９】
前記第１の油精製プラントからの前記ストリームを加熱することは、前記複数の芳香族炭化水素プラントサブユニットからの前記複数のストリームを用いて緩衝流体を通じて前記第１の油精製プラントからの前記ストリームを間接的に加熱するステップを備える、
請求項１に記載の方法。
【請求項１０】
前記緩衝流体は、油又は水のうちの少なくとも一方を含む、
請求項９に記載の方法。
【請求項１１】
前記複数の芳香族炭化水素プラントサブユニットからの前記複数のストリームを用いて前記第１の油精製プラントからの前記ストリームを間接的に加熱する前記ステップは：
第１の熱交換器において、前記複数の芳香族炭化水素プラントサブユニットの前記芳香族炭化水素複合施設キシレン生成物分離ユニット内のラフィネート塔頂ストリームを用いて前記緩衝流体を加熱するステップを備える、
請求項９に記載の方法。
【請求項１２】
前記加熱された加熱緩衝流体を収集ヘッダへ流すステップと；
前記加熱緩衝流体を、前記加熱緩衝流体の第１の分岐、第２の分岐及び第３の分岐に分割するステップと；
前記加熱緩衝流体の第１の分岐を硫黄回収プラントへ流すステップと；
第２の熱交換器において、前記硫黄回収プラント内のアミン再生塔底ストリームを、前記加熱緩衝流体の第１の分岐を用いて加熱するステップと；
前記加熱緩衝流体の第２の分岐を芳香族炭化水素複合施設ベンゼン抽出ユニットへ流すステップと；
第３の熱交換器において、前記芳香族炭化水素複合施設ベンゼン抽出ユニット内のベンゼン塔底ストリームを、前記加熱緩衝流体の第２の分岐を用いて加熱するステップと；
を更に備える、
請求項１１に記載の方法。
【請求項１３】
前記第１の熱交換器と前記第２の熱交換器とは互いに直列に流体的に連結され、前記第１の熱交換器と前記第３の熱交換器とは互いに直列に流体的に連結され、前記第２の熱交換器と前記第３の熱交換器とは互いに並列に流体的に連結され、前記第１の熱交換器と前記第４の熱交換器とは互いに直列に流体的に連結され、前記第４の熱交換器と前記第２の熱交換器及び前記第３の熱交換器の組み合わせとは互いに並列に流体的に連結される、
請求項１２に記載の方法。
【請求項１４】
前記加熱緩衝流体を芳香族炭化水素複合施設ベンゼン抽出ユニットへ流すステップと；
第３の熱交換器において、前記芳香族炭化水素複合施設ベンゼン抽出ユニット内のベンゼン塔底ストリームを、前記加熱緩衝流体を用いて加熱するステップと；
を更に備える、
請求項１１に記載の方法。
【請求項１５】
前記第３の熱交換器を出た前記加熱緩衝流体を、前記加熱緩衝流体の第１の分岐と第２の分岐とに分割するステップと；
前記加熱緩衝流体の第１の分岐をサワーウォータストリッパプラントへ流すステップと；
第２の熱交換器において、前記サワーウォータストリッパプラント内のサワーウォータストリッパ塔底ストリームを、前記加熱緩衝流体の第１の分岐を用いて加熱するステップと；
前記加熱緩衝流体の第２の分岐を前記芳香族炭化水素複合施設ベンゼン抽出ユニットへ流すステップと；
第４の熱交換器において、前記芳香族炭化水素複合施設ベンゼン抽出ユニット内のラフィネートスプリッタ塔底ストリームを、前記加熱緩衝流体の第２の分岐を用いて加熱するステップと；
を更に備える、
請求項１４に記載の方法。
【請求項１６】
前記第１の熱交換器と前記第３の熱交換器とは互いに直列に流体的に連結され、前記第２の熱交換器と前記第１の熱交換器とは互いに直列に流体的に連結され、前記第４の熱交換器と前記第３の熱交換器とは互いに直列に流体的に連結され、前記第２の熱交換器と前記第４の熱交換器とは互いに並列に流体的に連結される、
請求項１４に記載の方法。
【請求項１７】
前記加熱緩衝流体をアミン再生プラント分離区画へ流すステップと；
第２の熱交換器において、前記アミン再生プラント分離区画内の酸性ガス再生塔底ストリームを、前記加熱緩衝流体を用いて加熱するステップと；
を更に備える、
請求項１２に記載の方法。
【請求項１８】
前記第１の熱交換器及び前記第２の熱交換器は、互いに並列に流体的に連結される、
請求項１７に記載の方法。
【手続補正２】
【補正対象書類名】明細書
【補正対象項目名】０１０８
【補正方法】変更
【補正の内容】
【０１０８】
以上、このように本主題の特定の実施について説明した。その他の実施は、以下に続く特許請求項の範囲に含まれる。
以下、本発明の実施の態様の例を列挙する。
［第１の局面］
原油精製施設で実施される方法であって：
それぞれが少なくとも１つの油精製プロセスを実行するよう構成され、相互に連結された複数の油精製サブシステムを備える油精製プラントを複数備え、前記複数の油精製サブシステムの間を複数のストリームがそれぞれの温度で流れる、原油精製施設において、
複数のストリームを１つ以上の熱交換器へ流すステップであって、前記複数のストリームはそれぞれ前記複数の油精製プラントの芳香族炭化水素プラントに含まれる複数の芳香族炭化水素プラントサブユニットのうちの１つのサブユニットからのストリームである、複数のストリームを１つ以上の熱交換器へ流すステップと；
前記複数の油精製プラントのうち、前記芳香族炭化水素プラントとは異なる第１の油精製プラントから前記１つ以上の熱交換器へストリームを流すステップであって、前記１つ以上の熱交換器は、前記複数のストリームのうちの１つ以上から前記第１の油精製プラントからの前記ストリームへ熱を伝達する、前記複数の油精製プラントのうち、前記芳香族炭化水素プラントとは異なる第１の油精製プラントから前記１つ以上の熱交換器へストリームを流すステップと；
前記第１の油精製プラントにおける油精製プロセスで前記複数のストリームのうちの１つ以上によって加熱される前記第１の油精製プラントからの前記ストリームを利用するステップと；
を備える、
方法。
［第２の局面］
前記複数の芳香族炭化水素プラントサブユニットは、芳香族炭化水素複合施設キシレン生成物分離ユニットと芳香族炭化水素複合施設ベンゼン抽出プラントとを備え、前記第１の油精製プラントは硫黄回収プラントを備える、
第１の局面の方法。
［第３の局面］
前記第１の油精製プラントからの前記ストリームを加熱するステップは、前記複数の芳香族炭化水素プラントサブユニットからの前記複数のストリームを用いて前記第１の油精製プラントからの前記ストリームを直接的に加熱するステップを含む、
第２の局面の方法。
［第４の局面］
前記複数のストリームのうち１つのストリームは、前記芳香族炭化水素複合施設キシレン生成物分離ユニット内のラフィネート塔頂ストリームを備え、
前記第１の油精製プラントからの前記ストリームを直接的に加熱する前記ステップは：
第１の熱交換器において、前記ラフィネート塔頂ストリームの第１の分岐を用いて前記複数の油精製プラントの硫黄回収プラント内のアミン再生塔底ストリームを加熱するステップと；
第２の熱交換器において、前記ラフィネート塔頂ストリームの第２の分岐を用いて前記複数の芳香族炭化水素プラントサブユニットの芳香族炭化水素複合施設ベンゼン抽出プラント内のベンゼン塔底ストリームを加熱するステップと；
第３の熱交換器において、前記ラフィネート塔頂ストリームの第３の分岐を用いて前記芳香族炭化水素複合施設ベンゼン抽出プラント内のラフィネートスプリッタ塔底ストリームを加熱するステップと；
前記加熱されたアミン再生塔底ストリームを前記硫黄回収プラントへ流すステップと；
前記加熱されたベンゼン塔底ストリームと前記加熱されたラフィネートスプリッタ塔底ストリームとを前記芳香族炭化水素プラントへ流すステップと；
を備える、
第３の局面の方法。
［第５の局面］
前記第１の熱交換器、前記第２の熱交換器及び前記第３の熱交換器は、互いに並列に流体的に連結される、
第４の局面の方法。
［第６の局面］
前記複数の芳香族炭化水素プラントサブユニットは芳香族炭化水素複合施設キシレン生成物分離ユニットと芳香族炭化水素複合施設ベンゼン抽出プラントとを備え、前記複数のストリームのうち１つのストリームは前記芳香族炭化水素複合施設キシレン生成物分離ユニット内のラフィネート塔頂ストリームを備え、前記第１の油精製プラントは前記原油精製施設のサワーウォータストリッパプラントを備え、
前記ストリームを直接的に加熱するステップは：
第１の熱交換器において、前記ラフィネート塔頂ストリームの第１の分岐を用いて前記サワーウォータストリッパプラント内のサワーウォータストリッパ塔底ストリームを加熱するステップと；
第２の熱交換器において、前記ラフィネート塔頂ストリームの第２の分岐を用いて、前記芳香族炭化水素複合施設ベンゼン抽出プラント内のベンゼン塔底ストリームを加熱するステップと；
第３の熱交換器において、前記ラフィネート塔頂ストリームの第３の分岐を用いて前記芳香族炭化水素複合施設ベンゼン抽出プラント内のラフィネートスプリッタ塔底ストリームを加熱するステップと；
前記加熱されたサワーウォータストリッパ塔底ストリーム、前記加熱されたベンゼン塔底ストリーム及び前記加熱されたラフィネートスプリッタ塔底ストリームを前記芳香族炭化水素プラントへ流すステップと；
を備える、
第３の局面の方法。
［第７の局面］
前記第１の熱交換器、前記第２の熱交換器及び前記第３の熱交換器は、互いに並列に流体的に連結される、
第６の局面の方法。
［第８の局面］
前記第１の油精製プラント内の前記ストリームはアミン再生プラント分離区画内の酸性ガス再生塔底ストリームを備え、前記複数の芳香族炭化水素プラントサブユニットの前記複数のストリームは前記芳香族炭化水素複合施設キシレン生成物分離ユニット内のラフィネート塔頂ストリームを備え、
前記方法は、熱交換器において、前記ラフィネート塔頂ストリームを用いて前記アミン再生プラント分離区画の酸性ガス再生塔底ストリームを直接的に加熱するステップ；
を更に備える、
第１の局面の方法。
［第９の局面］
前記第１の油精製プラント内の前記ストリームは前記アミン再生プラント分離区画内のアミン再生プラント分離区画酸性ガス再生塔底ストリームを備え、前記複数の芳香族炭化水素プラントサブユニットの前記複数のストリームは前記芳香族炭化水素複合施設キシレン生成物分離ユニット内のラフィネート塔頂ストリームを備え、
前記方法は：
第１の熱交換器において、前記ラフィネート塔頂ストリームを用いて緩衝流体を加熱するステップと；
第２の熱交換器において、前記加熱緩衝流体ストリームを用いて前記アミン再生プラント分離区画酸性ガス再生塔底ストリームを加熱するステップと；
を更に備える、
第１の局面の方法。
［第１０の局面］
前記第１の油精製プラントからの前記ストリームの加熱は、前記複数の芳香族炭化水素プラントサブユニットからの前記複数のストリームを用いて緩衝流体を通じて前記第１の油精製プラントからの前記ストリームを間接的に加熱するステップ；
を備える、
第２の局面の方法。
［第１１の局面］
前記緩衝流体は、油又は水のうちの少なくとも一方を含む、
第１０の局面の方法。
［第１２の局面］
前記複数の芳香族炭化水素プラントサブユニットからの前記複数のストリームを用いて前記第１の油精製プラントからの前記ストリームを間接的に加熱する前記ステップは：
第１の熱交換器において、前記複数の芳香族炭化水素プラントサブユニットの前記芳香族炭化水素複合施設キシレン生成物分離ユニット内のラフィネート塔頂ストリームを用いて前記緩衝流体を加熱するステップ；
を備える、
第１０の局面の方法。
［第１３の局面］
前記加熱された加熱緩衝流体を収集ヘッダへ流すステップと；
前記加熱緩衝流体を、前記加熱緩衝流体の第１の分岐、第２の分岐及び第３の分岐に分割するステップと；
前記加熱緩衝流体の第１の分岐を硫黄回収プラントへ流すステップと；
第２の熱交換器において、前記硫黄回収プラント内のアミン再生塔底ストリームを、前記加熱緩衝流体の第１の分岐を用いて加熱するステップと；
前記加熱緩衝流体の第２の分岐を芳香族炭化水素複合施設ベンゼン抽出ユニットへ流すステップと；
第３の熱交換器において、前記芳香族炭化水素複合施設ベンゼン抽出ユニット内のベンゼン塔底ストリームを、前記加熱緩衝流体の第２の分岐を用いて加熱するステップと；
を更に備える、
第１２の局面の方法。
［第１４の局面］
前記第１の熱交換器と前記第２の熱交換器とは互いに直列に流体的に連結され、前記第１の熱交換器と前記第３の熱交換器とは互いに直列に流体的に連結され、前記第２の熱交換器と前記第３の熱交換器とは互いに並列に流体的に連結され、前記第１の熱交換器と前記第４の熱交換器とは互いに直列に流体的に連結され、前記第４の熱交換器と前記第２の熱交換器及び前記第３の熱交換器の組み合わせとは互いに並列に流体的に連結される、
第１３の局面の方法。
［第１５の局面］
前記加熱緩衝流体を芳香族炭化水素複合施設ベンゼン抽出ユニットへ流すステップと； 
第３の熱交換器において、前記芳香族炭化水素複合施設ベンゼン抽出ユニット内のベンゼン塔底ストリームを、前記加熱緩衝流体を用いて加熱するステップと；
を更に備える
第１２の局面の方法。
［第１６の局面］
前記第３の熱交換器を出た前記加熱緩衝流体を、前記加熱緩衝流体の第１の分岐と第２の分岐とに分割するステップと；
前記加熱緩衝流体の第１の分岐をサワーウォータストリッパプラントへ流すステップと；
第２の熱交換器において、前記サワーウォータストリッパプラント内のサワーウォータストリッパ塔底ストリームを、前記加熱緩衝流体の第１の分岐を用いて加熱するステップと；
前記加熱緩衝流体の第２の分岐を前記芳香族炭化水素複合施設ベンゼン抽出ユニットへ流すステップと；
第４の熱交換器において、前記芳香族炭化水素複合施設ベンゼン抽出ユニット内のラフィネートスプリッタ塔底ストリームを、前記加熱緩衝流体の第２の分岐を用いて加熱するステップと；
を更に備える、
第１５の局面の方法。
［第１７の局面］
前記第１の熱交換器と前記第３の熱交換器とは互いに直列に流体的に連結され、前記第２の熱交換器と前記第１の熱交換器とは互いに直列に流体的に連結され、前記第４の熱交換器と前記第３の熱交換器とは互いに直列に流体的に連結され、前記第２の熱交換器と前記第４の熱交換器とは互いに並列に流体的に連結される、
第１５の局面の方法。
［第１８の局面］
前記加熱緩衝流体をアミン再生プラント分離区画へ流すステップと；
第２の熱交換器において、前記アミン再生プラント分離区画内の酸性ガス再生塔底ストリームを、前記加熱緩衝流体を用いて加熱するステップと；
を更に備える
第１３の局面の方法。
［第１９の局面］
前記第１の熱交換器及び前記第２の熱交換器は、互いに並列に流体的に連結される、
第１８の局面の方法。
［第２０の局面］
原油精製施設で実施されるシステムであって、第１の局面に記載の方法を実施するように構成される、
システム。
［第２１の局面］
前記システムが流量制御システムを備える、
第２０の局面のシステム。